(57)【要約】【課題】複数の光拡散シートを用いた構成であってもグレア光を効果的に抑制し、自然光を十分に利用して室内の明るい環境を確保することのできる採光装置、採光システムを提供する。【解決手段】本発明の採光装置は、光透過性を有する第１基材と、前記第１基材の第１面に設けられた光透過性を有する複数の採光部と、を有する採光シートと、前記第１基材の前記第１面および前記第１面とは反対側の第２面のうちのいずれか一方の側に設けられた複数の光拡散シートと、を有する光学シートを備え、隣り合う前記光拡散シートどうしの間隙が、前記採光部の延在方向に垂直な方向における前記採光シートの一端から他端にかけて連続した直線以外の形状をなしている。【選択図】図５
2016118608.tif 000002
【特許請求の範囲】
【請求項１】
光透過性を有する第１基材と、前記第１基材の第１面に設けられた光透過性を有する複数の採光部と、を有する採光シートと、
前記第１基材の前記第１面および前記第１面とは反対側の第２面のうちのいずれか一方の側に設けられた複数の光拡散シートと、を有する光学シートを備え、
前記採光部が、前記採光部に入射した光を反射する反射面を有しており、前記反射面で反射して前記第１基材の前記第２面から射出される光が、前記第２面に垂直、かつ前記採光部の延在方向に平行な仮想平面を境界とする２つの空間のうち、前記反射面に光が入射する側と同じ側の空間に向けて進行する特性を有してなり、
隣り合う前記光拡散シートどうしの間隙が、前記採光部の延在方向に垂直な方向における前記採光シートの一端から他端にかけて連続した直線以外の形状をなしていることを特徴とする採光装置。
【請求項２】
前記間隙が、前記採光部の延在方向に垂直な方向に対して斜めに延在している
請求項１に記載の採光装置。
【請求項３】
前記光拡散シートは、前記光の拡散方向に異方性を有しており、前記２つの空間の配置方向よりも、前記配置方向に交差する方向へ強く前記光を拡散させる請求項１又は２に記載の採光装置。
【請求項４】
透明基材をさらに備え、
前記透明基材の第１面側に前記採光シートと同様の機能が付与された採光領域と、
前記第１面とは反対側の第２面側に前記光拡散シートと同様の機能が付与された光拡散領域と、が設けられている
請求項１から３のいずれか一項に記載の採光装置。
【請求項５】
前記採光シートの前記第１基材の前記第２面に前記複数の光拡散シートと、
隣り合う前記光拡散シートどうしの間のフラット面からなる前記間隙と、を有している
請求項１から３のいずれか一項に記載の採光装置。
【請求項６】
前記光拡散シートが、前記採光シートの光入射側に配置される
請求項１から５のいずれか一項に記載の採光装置。
【請求項７】
前記複数の採光部が、前記採光シートの一辺に対して所定の角度で傾斜して延在している
請求項１から６のいずれか一項に記載の採光装置。
【請求項８】
光透過性を有する第１基材を有し、
前記第１基材の第１面側には、複数の採光領域と、隣り合う前記採光領域どうしの間に位置する光拡散領域と、が設けられた光学シートを備え、
前記採光領域に設けられる光透過性を有する複数の第１採光部の延在方向に対して、前記光拡散領域に設けられる複数の第２採光部の延在方向は傾斜しており、
前記採光部が、前記採光部に入射した光を反射する反射面を有しており、前記反射面で反射して前記第１基材の前記第２面から射出される光が、前記第２面に垂直、かつ前記採光部の延在方向に平行な仮想平面を境界とする２つの空間のうち、前記反射面に光が入射する側と同じ側の空間に向けて進行する特性を有してなることを特徴とする採光装置。
【請求項９】
採光スクリーンと、
前記採光スクリーンを巻き取り自在にする巻取機構と、を備え、
前記採光スクリーンとして、前記光学シートを用いることを特徴とする
請求項１から８のいずれか一項に記載の採光装置。
【請求項１０】
短手方向に所定の間隔を空けて並んで配置された複数のスラットと、
前記複数のスラットを互いに傾動自在に支持する傾動機構と、を備え、
前記スラットが、前記光学シートを有することを特徴とする
請求項１から８のいずれか一項に記載の採光装置。
【請求項１１】
前記複数のスラットの配列方向で隣り合う前記スラットどうしにおける前記間隙が互いにずれている
請求項１０に記載の採光装置。
【請求項１２】
光透過性を有する第１基板と、
前記第１基板に対向配置された光透過性を有する第２基板と、をさらに備え、
前記第１基板と前記第２基板との間または外面に前記光学シートの少なくとも一部が配置されていることを特徴とする
請求項１から８のいずれか一項に記載の採光装置。
【請求項１３】
採光装置と、
室内照明具と、
室内の明るさを検出する検出部と、
前記室内照明具と前記検出部とを制御する制御部と、を有して構成され、
前記採光装置として請求項１から１２のいずれか一項に記載の採光装置を採用することを特徴とする採光システム。
【発明の詳細な説明】
【技術分野】
【０００１】
本発明は、採光装置、採光システムに関するものである。
【背景技術】
【０００２】
従来より、窓ガラス等を通して屋外の光（太陽光）を屋内に効率良く採り入れるための技術として、採光シートを用いることが提案されている。
【０００３】
採光シートは、光透過性を有するフィルム基材の一面に複数のプリズム体からなる採光部などが形成されたものである。採光シートは、窓ガラスに貼り付けられることによって、この窓ガラスに入射する光をプリズム体で光の進行方向を変えながら、屋内の天井や、側壁、床などに向けて照射する。また、天井に向かう光は、天井で反射して室内を照らすため、照明光の代わりとなる。したがって、このような採光シートを用いた場合、日中に建物内の照明設備が消費するエネルギーを節約する省エネルギー効果が期待できる。
【０００４】
しかしながら、窓の緯度、方位の違い又は太陽高度によっては、天井への採光性が低下したり、室内に居る人の目線に光が分配されて不快な眩しさを感じさせてしまったりすることがある。以下の説明において、室内に居る人が眩しさを感じる光をグレア光と言う。
【０００５】
採光シートからの射出光がグレアになるのを抑制するために、採光シートに光拡散シートを積層させた採光装置が提案されている（特許文献１）。光拡散シートにより、採光シートから射出されて室内に居る人の目線へと向かうグレア光を拡散させることによって、グレア光を抑制することが可能である。
【先行技術文献】
【特許文献】
【０００６】
【特許文献１】特開２０１３−１５６５５４号公報
【発明の概要】
【発明が解決しようとする課題】
【０００７】
しかしながら、大型の窓に対応すべく採光装置を大面積化させる場合には、大型化した採光シートに対して定形の光拡散シートを複数設ける必要がある。光拡散シートのタイリングの仕方によっては、光拡散シート同士の境界部分を通じて光が拡散されずに漏れ出してしまう。このような光は強烈なグレア光となり、室内に居る人に不快感を与えてしまうという問題がある。
【０００８】
本発明の一つの態様は、上記従来技術の問題点に鑑み成されたものであって、複数の光拡散シートを用いた構成であってもグレア光を効果的に抑制し、自然光（太陽光）を十分に利用して室内の明るい環境を確保することのできる採光装置、採光システムを提供することを目的の一つとしている。
【課題を解決するための手段】
【０００９】
本発明の一つの態様における採光装置は、光透過性を有する第１基材と、前記第１基材の第１面に設けられた光透過性を有する複数の採光部と、を有する採光シートと、前記第１基材の前記第１面および前記第１面とは反対側の第２面のうちのいずれか一方の側に設けられた複数の光拡散シートと、を有する光学シートを備え、前記採光部が、前記採光部に入射した光を反射する反射面を有しており、前記反射面で反射して前記第１基材の前記第２面から射出される光が、前記第２面に垂直、かつ前記採光部の延在方向に平行な仮想平面を境界とする２つの空間のうち、前記反射面に光が入射する側と同じ側の空間に向けて進行する特性を有してなり、  隣り合う前記光拡散シートどうしの間隙が、前記採光部の延在方向に垂直な方向における前記採光シートの一端から他端にかけて連続した直線以外の形状をなしていることを特徴とする。
【００１０】
本発明の一つの態様における採光装置において、前記間隙が、前記採光部の延在方向に垂直な方向に対して斜めに延在している構成としてもよい。
【００１１】
本発明の一つの態様における採光装置において、前記光拡散シートは、前記光の拡散方向に異方性を有しており、前記２つの空間の配置方向よりも、前記配置方向に交差する方向へ強く前記光を拡散させる構成としてもよい。
【００１２】
本発明の一つの態様における採光装置において、透明基材をさらに備え、前記透明基材の第１面側に前記採光シートと同様の機能が付与された採光領域と、前記第１面とは反対側の第２面側に前記光拡散シートと同様の機能が付与された光拡散領域と、が設けられている構成としてもよい。
【００１３】
本発明の一つの態様における採光装置において、前記採光シートの前記第１基材の前記第２面に前記複数の光拡散シートと、隣り合う前記光拡散シートどうしの間のフラット面からなる前記間隙と、を有している構成としてもよい。
【００１４】
本発明の一つの態様における採光装置において、前記光拡散シートが、前記採光シートの光入射側に配置される構成としてもよい。
【００１５】
本発明の一つの態様における採光装置において、前記複数の採光部が、前記採光シートの一辺に対して所定の角度で傾斜して延在している構成としてもよい。
【００１６】
本発明の一つの態様における採光装置は、光透過性を有する第１基材を有し、前記第１基材の第１面側には、複数の採光領域と、隣り合う前記採光領域どうしの間に位置する光拡散領域と、が設けられた光学シートを備え、前記採光領域に設けられる光透過性を有する複数の第１採光部の延在方向に対して、前記光拡散領域に設けられる複数の第２採光部の延在方向は傾斜しており、前記採光部が、前記採光部に入射した光を反射する反射面を有しており、前記反射面で反射して前記第１基材の前記第２面から射出される光が、前記第２面に垂直、かつ前記採光部の延在方向に平行な仮想平面を境界とする２つの空間のうち、前記反射面に光が入射する側と同じ側の空間に向けて進行する特性を有してなることを特徴とする。
【００１７】
本発明の一つの態様における採光装置において、採光スクリーンと、前記採光スクリーンを巻き取り自在にする巻取機構と、を備え、前記採光スクリーンとして、前記光学シートを用いる構成としてもよい。
【００１８】
本発明の一つの態様における採光装置において、短手方向に所定の間隔を空けて並んで配置された複数のスラットと、前記複数のスラットを互いに傾動自在に支持する傾動機構と、を備え、前記スラットが、前記光学シートを有する構成としてもよい。
【００１９】
本発明の一つの態様における採光装置において、前記複数のスラットの配列方向で隣り合う前記スラットどうしにおける前記間隙が互いにずれている構成としてもよい。
【００２０】
本発明の一つの態様における採光装置において、光透過性を有する第１基板と、前記第１基板に対向配置された光透過性を有する第２基板と、をさらに備え、前記第１基板と前記第２基板との間または外側に前記光学シートの少なくとも一部が配置されている構成としてもよい。
【００２１】
本発明の一つの態様における採光システムは、採光装置と、室内照明具と、室内の明るさを検出する検出部と、前記室内照明具と前記検出部とを制御する制御部と、を有して構成され、前記採光装置として上記の採光装置を採用することを特徴とする。
【発明の効果】
【００２２】
以上のように、本発明の一つの態様によれば、複数の光拡散シートを用いた構成であってもグレア光を効果的に抑制し、自然光（太陽光）を十分に利用して室内の明るい環境を確保することのできる採光装置、採光システムを提供することができる。
【図面の簡単な説明】
【００２３】
【図１】窓に設置された状態の採光装置の外観を示す平面図。
【図２】図１のＡ−Ａ’線に沿う断面図。
【図３】（Ａ）は採光シートの構成を示す斜視図、（Ｂ）は採光部の形状を示す断面図。
【図４】異方性光拡散シートの概略構成を示す斜視図。
【図５】第２ガラス基板に対する異方性拡散シートの貼り合せ状態を示す斜視図。
【図６】異方性光拡散シートと第２ガラス基板との貼り合せ状態を示す斜視図。
【図７】（Ａ）は、採光シートの製造方法を説明するための図、（Ｂ）は、異方性光拡散シートの製造方法を説明するための図。
【図８】部屋モデルの一例を示す模式図。
【図９】採光シートに入射する入射光ＬＩＮの入射角θＩＮと、採光シートから射出される射出光ＬＯＵＴの射出角θＯＵＴとの定義について説明する図。
【図１０】第１実施形態の採光装置の光学特性について説明するための図。
【図１１】第１実施形態の採光装置の光学特性について説明するための図。
【図１２】（Ａ）は、採光シートを室内側から見た様子を示す図、（Ｂ）は、（Ａ）のＢ−Ｂ’線に沿う断面図。
【図１３】（Ａ）は、比較例１として、採光シートの光射出側に光拡散シートを配置した採光装置を示す図、（Ｂ）は、（Ａ）のＣ−Ｃ’線に沿う断面図。
【図１４】（Ａ）は、比較例２としての採光装置を室内側から見た様子を示す図、（Ｂ）は、（Ａ）のＤ−Ｄ’線に沿う断面図。
【図１５】第１実施形態における採光装置を室内側から見た様子を示す図。
【図１６】（Ａ）〜（Ｄ）は、異方性光拡散シートの変形例を示す図。
【図１７】第２実施形態における採光装置の概略構成を示す図であって、（Ａ）は正面図、（Ｂ）は断面図。
【図１８】（Ａ）は、第３実施形態における採光装置の概略構成を示す断面図、（Ｂ）は、第３実施形態における光学シートの光拡散面側の構成を示す正面図。
【図１９】光学シートとなる原反ロールの構成を示す図であって、（Ａ）は、原反ロール自体を示す図、（Ｂ）は、（Ａ）に示す原反ロールの採光面側から見た図、（Ｃ）は、（Ａ）に示す原反ロールの異方性光拡散面側から見た図。
【図２０】第４実施形態における採光装置の概略構成を示す図であって、（Ａ）は正面図、（Ｂ）は断面図。
【図２１】第４実施形態における採光装置の光学特性を示す図。
【図２２】第５実施形態におけるブラインドの概略構成を示す図。
【図２３】第５実施形態のブラインドを構成する採光スラットの概略構成を示す断面図。
【図２４】（Ａ）はブラインド全体での光学特性を示す図、（Ｂ）は採光スラットの光学特性を示す図。
【図２５】第６実施形態における採光装置の一例であるブラインドの概略構成を示す図。
【図２６】第６実施形態における採光スラットの概略構成を示す断面図。
【図２７】第６実施形態における２枚の光拡散シートによるタイリング隙間を示す図。
【図２８】第７実施形態におけるロールスクリーンの概略構成を示す図であって、（Ａ）は全体構造図、（Ｂ）は採光スクリーンの分解斜視図。
【図２９】採光シートの概略構成を示す断面図であって、図２８（Ａ）のＦ−Ｆ’線に沿う断面図。
【図３０】第８実施系形態における複層ガラスの概略構成を示す断面図。
【図３１】第８実施形態に用いられる２枚の異方性光拡散シートのタイリング状態を示す図。
【図３２】第８実施形態における複層ガラスの変形例を示す図。
【図３３】第８実施形態における複層ガラスの変形例を示す図。
【図３４】第９実施形態における採光装置の採光シートの概略構成を示す正面図。
【図３５】第９実施形態における採光装置の主要構成部材を示す図。
【図３６】第１０実施形態における採光装置の採光シートの概略構成を示す正面図。
【図３７】第１０実施形態における採光装置の主要構成部材を示す図。
【図３８】第１０実施形態における採光装置の光学特性を示す図。
【図３９】採光装置及び照明調光システムを備えた部屋モデルであって、図４０のＪ−Ｊ’線に沿う断面図。
【図４０】部屋モデルの天井を示す平面図。
【図４１】採光装置によって室内に採光された光（自然光）の照度と、室内照明装置による照度（照明調光システム）との関係を示すグラフ。
【発明を実施するための形態】
【００２４】
以下、本発明の実施形態につき、図面を参照して説明する。なお、以下の説明に用いる各図面では、各部材を認識可能な大きさとするため、各部材の縮尺を適宜変更している。
【００２５】
［第１実施形態］
先ず、本発明の第１実施形態として、例えば図１に示す採光装置１について説明する。
図１は、窓に設置された状態の採光装置の外観を示す平面図である。図２は、図１のＡ−Ａ’線に沿う断面図である。図３（Ａ）は採光シートの構成を示す斜視図、（Ｂ）は採光部の形状を示す断面図である。図４は、異方性光拡散シートの概略構成を示す斜視図である。図５は、第２ガラス基板に対する異方性拡散シートの貼り合せ状態を示す斜視図である。
【００２６】
採光装置１は、図１及び図２に示すように、光学シートを備えた採光ユニット１０と一対の装着部１１，１１とを備えて構成されている。
採光ユニット１０は、図２に示すように、採光シート１２と、採光シート１２を保持する第１ガラス基板（第１基板）１７と、複数の異方性光拡散シート（光拡散シート）９と、複数の異方性光拡散シート９を保持する第２ガラス基板（第２基板）１８と、これら複数の構成要素を支持するフレーム（支持部材）１３と、を有する。また、本実施形態では、第１ガラス基板１７と第２ガラス基板１８との間にスペーサー７が配置されている。
採光シート１２及び異方性光拡散シート９は、本発明の請求項における光学シートに対応する。
【００２７】
採光シート１２は、図３（Ａ）に示すように、光透過性を有する第１基材２と、第１基材２の第１面２ａに設けられた光透過性を有する複数の採光部３と、複数の採光部３の間に設けられた空隙部４と、を備えている。
【００２８】
第１基材２は、熱可塑性ポリマーや熱硬化性樹脂、光重合性樹脂等の光透過性樹脂からなる。また、光透過性樹脂としては、アクリル系ポリマー、オレフィン系ポリマー、ビニル系ポリマー、セルロース系ポリマー、アミド系ポリマー、フッ素系ポリマー、ウレタン系ポリマー、シリコーン系ポリマー、イミド系ポリマー等からなるものを用いることができる。その中でも、例えば、ポリメタクリル酸メチル樹脂（ＰＭＭＡ）、トリアセチルセルロース（ＴＡＣ）、ポリエチレンテレフタレート（ＰＥＴ）、シクロオレフィンポリマー（ＣＯＰ）、ポリカーボネート（ＰＣ）、ポリエチレンナフタレート（ＰＥＮ）、ポリエーテルサルホン（ＰＥＳ）、ポリイミド（ＰＩ）等を好適に用いることができる。第１基材２の全光線透過率は、ＪＩＳ  Ｋ７３６１−１の規定で９０％以上が好ましい。これにより、十分な透明性を得ることができる。
【００２９】
採光部３は、例えば、アクリル樹脂やエポキシ樹脂、シリコーン樹脂等の光透過性及び感光性を有する有機材料で構成されている。また、これらの有機材料に、重合開始剤やカップリング剤、モノマー、有機溶媒等を混合したものを用いることができる。さらに、重合開始剤は、安定剤、禁止剤、可塑剤、蛍光増白剤、離型剤、連鎖移動剤、他の光重合性単量体等のように、各種の添加成分を含んでいてもよい。その他、特許第４１２９９９１号公報に記載の材料を用いることができる。採光部３の全光線透過率は、ＪＩＳ  Ｋ７３６１−１の規定で９０％以上が好ましい。これにより、十分な透明性を得ることができる。
【００３０】
複数の採光部３は、図３（Ａ）に示すように、第１基材２の長手方向（長さ方向）に延在し、且つ、第１基材２の短手方向（幅方向）に並んで設けられている。また、各採光部３は、図３（Ｂ）に示すように断面形状が多角形状のプリズム体を構成している。採光部３は、例えば、長手方向に直交する断面形状において６つの頂部を有し、その全ての内角が１８０°未満とされた六角形である。採光部３の各面３Ａ〜３Ｆのうち、頂部ｑを通る面３Ａに垂直な平面Ｍよりも下方に位置する面３Ｄ、面３Ｅ、面３Ｆが、面３Ｂ、面３Ｃから入射した光を反射する反射面として機能する。
【００３１】
ここで、隣り合う採光部３の間の空間は空隙部４となっていて空気が存在しているため、この空隙部４が空気との界面となる。この間には、他の低屈折率材料で充填してもよい。しかしながら、採光部３の内部と外部との界面の屈折率差は、外部にいかなる低屈折率材料が存在する場合よりも空気が存在する場合に最大となる。
【００３２】
なお、第１基材２の屈折率と採光部３の屈折率とは略同等であることが望ましい。その理由として、例えば、第１基材２の屈折率と採光部３の屈折率とが大きく異なる場合に光が採光部３から第１基材２に入射した際、これら採光部３と第１基材２との界面で不要な光の屈折や反射が生じることがある。この場合、所望の採光特性が得られない、あるいは輝度が低下するなどの不具合が生じる虞があるからである。
【００３３】
このような採光シート１２は、第１ガラス基板１７の一面側に貼り合わされている。第１ガラス基板１７と採光シート１２とは、採光シート１２の光射出側に設けられた不図示の接着層等を介して互いに貼り合わされている。
【００３４】
異方性光拡散シート９は、図４に示すように、支持基材９６の一面９６ａ側に、一方向に延在する複数の凸部９７を備えたスジ状の微細形状を有している。異方性光拡散シート９は、概ね短手方向（Ｚ方向）に延在する凸部９７が支持基材９６の長手方向（Ｙ方向）に並ぶ、いわゆる疑似ストライプ構造を有している。
【００３５】
このように、異方性光拡散シート９は、凸部９７の延在方向に垂直な方向（Ｙ方向）に光拡散性を持ち、凸部９７の延在方向に平行な方向（Ｚ方向）には光拡散性をあまり持たない光学特性を有している。以下の説明において、光拡散性の高い方向を高光拡散方向（Ｙ方向）とし、光拡散性の低い方向を低光拡散方向（Ｚ方向）とする。
【００３６】
なお、本実施形態では異方性光拡散シート９として、上述した疑似ストライプ構造のものを採用したが、例えば、レンチキュラーレンズ構造のものを採用してもよい。
【００３７】
本実施形態では、異方性光拡散シート（光拡散シート）９として図５に示す２枚の異方性光拡散シート９Ａ，９Ｂを備え、これらが第２ガラス基板１８の一面に貼り合わされている。異方性光拡散シート９Ａ，９Ｂは、第２ガラス基板１８の長手方向に並べて設けられている。図中の実線矢印で示す異方性光拡散シート９Ａ，９Ｂの高光拡散方向（Ｙ方向）は、互いに一致している。また、異方性光拡散シート９Ａ，９Ｂ同士は、相互間に若干の隙間Ｗｔを設けた状態で第２ガラス基板１８に貼り合わされている。
【００３８】
異方性光拡散シート９Ａ，９Ｂと第２ガラス基板１８とは、図２に示すように各異方性光拡散シート９Ａ，９Ｂの光射出側にそれぞれ設けられた不図示の接着層等を介して互いに貼り合わされている。
【００３９】
採光シート１２を有する第１ガラス基板１７と、２枚の異方性光拡散シート９Ａ，９Ｂを有する第２ガラス基板１８とは、これらの間に配置されるスペーサー７によって間隔が保持されている。なお、スペーサー７が緩衝材としての機能を有していてもよい。
【００４０】
図１及び図２に示したフレーム１３は、アルミニウム製の枠体からなり、採光シート１２を有する第１ガラス基板１７、複数の異方性光拡散シート９を有する第２ガラス基板の周囲を取り囲むようにしてこれらを平坦な状態で保持するものである。
【００４１】
このような構成を有する採光ユニット１０は、装着部１１により窓の上部から吊り下げられた状態で設置される。図１及び図２において、符号１００３は窓ガラス、符号１０８は窓サッシ、符号１０９は窓枠を表している。
【００４２】
各装着部１１は、図２に示すように、採光ユニット１０を窓枠（被装着物）１０９に取り付けるための取付部材１５と、複数の取付ネジ１６と、をそれぞれ備える。取付部材１５は、ステンレス製のもので、互いに垂直な姿勢で連結されたフレーム取付部１５Ａと窓枠取付部１５Ｂとにより、断面視Ｌ字型を呈するものである。取付部材１５は、フレーム取付部１５Ａ及び窓枠取付部１５Ｂの各々に形成されたネジ穴に取付ネジ１６を螺合させることにより、フレーム１３及び窓枠１０９に固定される。なお、取付部材１５の形状は上述したものに限らない。
【００４３】
このようにして、採光ユニット１０が装着部１１を介して窓枠１０９に装着される。装着された状態において、採光シート１２の微細構造面３ａが窓ガラス１００３に対向した姿勢となっている。
【００４４】
次に、本実施形態における採光装置１の特徴部分について詳しく説明する。
図６は、異方性光拡散シートと第２ガラス基板との貼り合せ状態を示す斜視図である。
本実施形態の採光装置１は、上述した２枚の異方性光拡散シート９Ａ，９Ｂを備えて構成されている。
【００４５】
異方性光拡散シート９Ａ，９Ｂは、図６に示すように、第２ガラス基板１８の長手方向に並べて設けられている。異方性光拡散シート９，９は、各々の高光拡散方向（Ｙ方向：実線矢印）が第２ガラス基板１８の長手方向に平行、かつ低光拡散方向（Ｚ方向：破線矢印）が第２ガラス基板１８の短手方向に平行に配置されている。
【００４６】
これら異方性光拡散シート９Ａ，９Ｂは、法線方向から見た平面視が略台形状を呈しており、長手方向一方の側辺９ｂに対して傾斜辺９ａが所定の角度αで傾斜した形状となっている。異方性光拡散シート９Ａ，９Ｂは、傾斜した傾斜辺９ａ，９ａ同士を対向させるようにして並べてあり、傾斜辺９ａ，９ａ同士の間に一定の幅の隙間Ｗｔが設けられている。
【００４７】
通常、複数の異方性光拡散シート９を大型の第２ガラス基板１８にタイリングする際には、太陽光の照射による異方性光拡散シート９，９の熱膨張に起因した境目のせり上がりを考慮して、双方の間に凡そ１ｍｍ程度の隙間を設ける必要がある。
【００４８】
ここで、台形状を呈する異方性光拡散シート９Ａ，９Ｂの各長辺９ｃの長さＬｙは、凡そ９００ｍｍである。また、第１ガラス基板１７及び第２ガラス基板１８として、凡そ３ｍｍ程度の板厚を有するガラス板が用いられる。第２ガラス基板１８の長手方向における長さＬＹは、凡そ１５００ｍｍ、短手方向における長さＬＺは、凡そ７００ｍｍである。
なお、第１ガラス基板１７も同様の大きさを有するとともに、上述した採光シート１２も同様の大きさを有している。
【００４９】
図７（Ａ）は、採光シート１２の製造方法を説明するための図であり、図７（Ｂ）は、異方性光拡散シート９の製造方法を説明するための図である。
本実施形態における採光シート１２は、図７（Ａ）に示すように、ロール・トゥ・ロール法を用いて製造された原反ロール２１を、巻取ローラー２２から巻き出して採光シート形成領域Ｒ１毎に切断することによって得たものである。そのため、原反ロール２１のロール幅ＷＲ１が採光シート１２の短手方向における長さＬＺとなっている。巻取ローラー２２から巻き出された採光シート形成領域Ｒ１が、採光シート１２の長手方向における長さＬＹに対応する。
【００５０】
また、原反ロール２１の長さ方向に沿って採光部３が形成されていることから、切断後の採光シート１２の長手方向に採光部３が延在することになる。
【００５１】
上記製造方法によれば、採光シート１２の大きさ、具体的には窓の左右方向に沿う横幅を自在に調整することができる。そのため、窓の左右方向における採光装置の大型化の際には、原反ロール２１の切り出し大きさを変えることによって、大判の採光シート１２を作成することが可能である。
【００５２】
一方、異方性光拡散シート９においても、図７（Ｂ）に示すようにロール・トゥ・ロール法を用いて製造された原反ロール４１を、巻取ローラー４２から巻き出して異方性光拡散シート形成領域Ｒ２毎に切断することによって得たものである。そのため、原反ロール４１のロール幅ＷＲ２が、異方性光拡散シート９の長手方向における長さＬｙとなっている。このように、原反ロール４１のロール幅ＷＲ２が異方性光拡散シート９の横幅を規定することになるが、これらは窓ガラスの左右方向に沿う採光装置１の横幅よりも小さい場合が多い。そのため、採光装置の大型化の際には、採光装置１の横方向（Ｙ方向）に複数の異方性光拡散シート９を並べて設ける必要がある。
【００５３】
また、原反ロール４１の長さ方向に沿って複数の凸部９７が延在しているため、切断後の異方性光拡散シート９の短手方向における長さＬＺに沿って凸部９７が延在することになる。
【００５４】
さらに、本実施形態の異方性光拡散シート９は、上述したように傾斜した傾斜辺９ａを有している。そのため、原反ロール４１を異方性光拡散シート形成領域Ｒ２毎に切断した後、さらに、個片化シート９４の一部を斜めに切り取ることによって、本実施形態の異方性光拡散シート９が得られる。
【００５５】
上記製造方法によれば、異方性光拡散シート９の大きさ、具体的には窓の上下方向に沿う縦幅を自在に調整することができる。一方、窓の左右方向に沿う異方性光拡散シート９の横幅は原反ロール４１のロール幅によるため、自在に調整するのは難しい。よって、窓の左右方向における採光装置の大型化の際には、定形の異方性光拡散シート９を複数並べて用いることになる。
【００５６】
次に、図８に示す部屋モデル１０００を用いて採光装置１の採光特性について説明する。なお、図８は、部屋モデル１０００の一例を示す模式図である。
【００５７】
部屋モデル１０００は、例えば採光装置１のオフィスでの使用を想定したモデルである。具体的に、図８に示す部屋モデル１０００は、天井１００１と、床１００２と、窓ガラス１００３が取り付けられた手前の側壁１００４と、手前の側壁１００４と対向する奥の側壁１００５とで囲まれる室内１００６に、窓ガラス１００３を通して屋外の光Ｌが斜め上方から入射する場合を模している。採光装置１は、窓ガラス１００３の内側の窓枠（不図示）に設置されている。
【００５８】
部屋モデル１０００では、室内１００６の高さ寸法（天井１００１から床１００２までの寸法）Ｈを２．７ｍとし、窓ガラス１００３の縦寸法Ｈ２を天井１００１から１．８ｍとし、採光装置１の縦寸法Ｈ１は、窓ガラス１００３の縦寸法Ｈ２よりも短いかい寸法とし、室内１００６の奥行き寸法（手前の側壁１００４から奥の側壁１００５までの寸法）Ｗを１６ｍとしている。
【００５９】
部屋モデル１０００では、室内１００６の中の方に椅子に座っている人Ｍａと、室内１００６の奥の方に床１００２に立っている人Ｍｂとがいる。椅子に座っている人Ｍａの眼の高さＨａは、床１００２から０．８ｍとし、床１００２に立っている人Ｍｂの眼の高さＨｂは、床１００２から１．８ｍとしている。
【００６０】
室内１００６に居る人Ｍａ，Ｍｂに眩しさを感じさせる領域（以下、グレア領域Ｇという。）は、室内に居る人Ｍａ，Ｍｂの眼の高さＨａ，Ｈｂの範囲である。また、室内１００６の窓ガラス１００３の付近は、主として窓ガラス１００３を通して屋外の光Ｌが直接照射される領域Ｆである。この領域Ｆは、手前の側壁１００４から１ｍの範囲としている。したがって、グレア領域Ｇは、床１００２から０．８ｍ〜１．８ｍの高さ範囲のうち、領域Ｆを除いた手前の側壁１００４より１ｍ離れた位置から奥の側壁１００５までの範囲となっている。
【００６１】
採光装置１は、外光Ｌを天井１００１に向けて進行させる機能を有する。天井１００１に向けて進行する光Ｌは、天井１００１で反射して室内を照射する光Ｌ’となり、照明の代わりとなる。しかし実際には、採光装置１を通過した光Ｌ’は、天井１００１に向けて進行するだけではなく、側壁１００５あるいは床１００２に向けて進行する。
【００６２】
このとき、採光装置１を通過した光には、屋内に居る人の眼の位置に向かう光Ｌ５，Ｌ６も存在する。このような光は、屋内に居る人に眩しさを感じさせることとなる。部屋モデル１０００において、屋内に居る人に眩しさを感じさせる領域をグレア領域Ｇとする。グレア領域Ｇの範囲は、上述した人の動く領域及び人の眼の位置に基づいて規定されている。グレア領域Ｇは、側壁１００４から例えば１ｍ離れた所において、床１００２から例えば０．８ｍ〜１．８ｍの領域である。
【００６３】
（入射角と射出角の定義）
次に、図９を用いて、採光装置１に入射する入射光ＬＩＮの入射角θＩＮと、採光装置１から射出される射出光ＬＯＵＴの射出角θＯＵＴとの定義について説明する。
入射光ＬＩＮの入射角θＩＮ及び射出光ＬＯＵＴの射出角θＯＵＴは、図９に示すように、採光装置１（採光シート１２の第１基材２）の法線に沿った方向の角度を０°とし、天井１００１に向かう方向の角度を正（＋）とし、床１００２に向かう方向の角度を負（−）として定義する。
【００６４】
本実施形態の採光装置１では、少なくとも採光シート１２の各採光部３に入射した入射光ＬＩＮの入射角θＩＮが、採光シート１２の法線に対して２０°≦θＩＮ≦５０°の範囲にあるとき、採光シート１２から射出される射出光Ｌの射出角θＯＵＴが、採光シート１２の法線に対して入射光ＬＩＮと同じ側（＋側）に０°≦θＯＵＴ≦１５°となる範囲で、射出光ＬＯＵＴの輝度が相対的に高くなるように設定されている。
【００６５】
これにより、採光装置１及び窓ガラス１００３を通して室内１００６に入射した光Ｌのうち、グレア領域Ｇに向かう光や床１００２に向かう光の輝度を低減しながら、天井１００１に向かう光の輝度を相対的に高めることが可能である。すなわち、採光装置１及び窓ガラス１００３を通して室内１００６に入射した光Ｌを天井１００１に向けて効率良く照射することができる。また、室内１００６に居る人Ｍａ，Ｍｂに眩しさを感じさせることなく、天井１００１に向かう光Ｌを室内１００６の奥の方まで照射することができる。
【００６６】
さらに、天井１００１で反射された光Ｌ’は、照明光の代わりとして、室内１００６を広範囲に亘って明るく照らすことになる。この場合、室内１００６の照明設備を消灯することによって、日中に室内１００６の照明設備が消費するエネルギーを節約する省エネルギー効果が期待できる。
【００６７】
次に、上述した本実施形態の採光装置１における光学特性について述べる。
図１０及び図１１は、第１実施形態の採光装置の光学特性について説明するための図である。
太陽から直接届く光は、図１０に示すように、先ず、窓ガラス１００３を透過して採光装置１の採光シート１２に入射し、採光部３の反射面において斜め上方へ向けて反射された後、異方性光拡散シート９へと入射する。採光シート１２からの射出光は、異方性光拡散シート９において水平方向、つまり採光部３の延在方向に異方的に拡散された後、室内の天井へ向かって射出される。
【００６８】
ここで、説明の便宜上、図１１に示す採光部３に入射した光のうち任意の１本の光束が採光部３の面３Ｅ（反射面）に入射する点を入射点Ｅとする。入射点Ｅを通り、第１基材２の第１面２ａに直交する仮想的な直線を直線ｆとする。直線ｆを含む水平面（仮想平面）を境界とする２つの空間のうち、入射点Ｅに入射する光Ｌが存在する側の空間を第１空間Ｓ１とし、入射点Ｅに入射する光Ｌが存在しない側の空間を第２空間Ｓ２とする。
【００６９】
例えば、所定の入射角θＩＮで採光部３の面３Ｃから入射した光Ｌは、採光部３の面３Ｅで全反射して斜め上方、すなわち第１空間Ｓ１の側に向かって進み、採光部３の面３Ａから射出される。採光部３から射出された光Ｌは、第１基材２を透過して異方性光拡散シート９へ入射し、水平方向へ拡散された状態で室内へ射出される。採光装置１から所定の射出角θＯＵＴで天井に向けて射出された光は、天井で反射して室内を照らすため、照明光の代わりとなる。したがって、このような採光装置１を用いた場合、日中に建物内の照明設備が消費するエネルギーを節約する省エネルギー効果が期待できる。
【００７０】
上述したように、本実施形態における異方性光拡散シート９は、光の拡散方向に異方性を有しており、採光シート１２における複数の採光部３の延在方向に交差する方向よりもこれら採光部３の延在方向（水平方向）へ強く光を拡散させる特性を有する。すなわち、図１１に示すように、上記直線ｆを含み、採光シート１２における第１基材２の第１面２ａに垂直かつ採光部３の延在方向に平行な仮想平面を境界とする２つの空間Ｓ１，Ｓ２の配置方向よりも、当該配置方向に交差する方向に平行な方向へ強く光を拡散させるものである。このような異方性光拡散シート９において上下方向（Ｙ方向）よりも水平方向（Ｘ方向）へ強く光を拡散させることによって、直射光の輝度を抑えつつ採光することができる。
【００７１】
図１２（Ａ）は、採光シートを室内側から見た様子を示す図であり、図１２（Ｂ）は、（Ａ）のＢ−Ｂ’線に沿う断面図である。図１３（Ａ）は、比較例１として、採光シートの光射出側に光拡散シートを配置した採光装置を示す図であり、図１３（Ｂ）は、（Ａ）のＣ−Ｃ’線に沿う断面図である。
【００７２】
図１２（Ａ），（Ｂ）に示すように、採光シート１２のみを透過した太陽光は、採光シート１２の微細構造によりその上下方向、つまり採光部３の長手方向に交差する方向へ拡散される。この際、採光シート１２の左右方向には殆ど拡散されないため、グレア光は、太陽と目線とを結んだ位置で上下方向に引き延ばされる。このような採光シート１２の特性により、グレア光は１本の縦線となって現れて室内に居る人に視認されてしまう。太陽と人との位置関係によって、採光シート１２上でグレア光が現れる場所は変わってくるものの常に視認されるため、室内に居る人にとっては不快なものとなっていた。
【００７３】
そこで、従来においては、図１３（Ａ）に示すように、採光シート１２の光射出側に光拡散シート１９を配置することによってグレア光を拡散させていた。図１３（Ｂ）に示すように、採光シート１２からグレア領域へ向けて射出された光が光拡散シート１９において拡散されることで、室内に居る人の目に強い光が入り込むことが防止される。
【００７４】
図１４（Ａ）は、比較例２としての採光装置を室内側から見た様子を示す図であり、図１４（Ｂ）は、（Ａ）のＤ−Ｄ’線に沿う断面図である。
ところが、大型の採光装置を得る場合には、複数の光拡散シート１９を大型のガラス基板上にタイリングする必要がある。その場合、図１４（Ａ）に示すように既存の平面視矩形状を呈した光拡散シート１９を複数並べて設けていた。上述したように、複数の光拡散シート１９をタイリングする場合には、シートの熱膨張を考慮してシート同士の境界部分に隙間Ｗを設けることが必要になる。
【００７５】
特に、ロール・トゥ・トールで作製した異方性を有する光拡散シート１９を用いる場合には、上述したようにシートのサイズが幅方向（光の拡散が強い方向）に制限を受けやすい。そのため、採光シート１２の長手方向、つまり採光部３の延在方向に沿って並べられる。すると、採光部３の延在方向に直交する方向に沿って光拡散シート１９同士の隙間Ｗが形成されることになる。
【００７６】
すると、採光シート１２から射出された光が上記隙間Ｗから拡散されずに漏れ出してしまう。先に述べたように、採光シート１２から射出されたグレア光は、採光部３の延在方向に対して垂直な方向に縦線となって生じる。そのため、図１４（Ｂ）に示すように、タイリングされた光拡散シート１９の間にグレア光の縦線と同じ方向の隙間Ｗがあると、その隙間Ｗを透過した光は強烈なグレア光となり、室内に居る人に不快感を与えてしまう。
【００７７】
図１５は、第１実施形態における採光装置を室内側から見た様子を示す図である。
本実施形態の採光装置１では、図１５に示すように、採光シート１２の横幅に沿って２枚の異方性光拡散シート９Ａ、９Ｂが設けられている。これら異方性光拡散シート９Ａ，９Ｂの間に形成された隙間Ｗｔは、採光装置１の上下方向に対して傾斜しており、採光シート１２の採光部３の延在方向に直交する方向に対して斜めに延在している。隙間Ｗｔは、１ｍｍ程度であるが、延在幅Ｗｅがグレア光ＬＧの幅ＷＧよりも大きい。
【００７８】
採光シート１２から射出されたグレア光ＬＧは縦線となって現れることから、採光シート１２から射出されたグレア光ＬＧの殆どが異方性光拡散シート９Ａ，９Ｂを透過して室内へと射出される。一部のグレア光ＬＧが異方性光拡散シート９Ａ，９Ｂを介さずに隙間Ｗｔから射出されることになるが、グレア光ＬＧと隙間Ｗｔとの交点のみから点となって射出されるため、室内に居る人が不快に感じる光ではなくなる。これにより、拡散されていない強烈なグレア光ＬＧが室内へ射出されてしまうのを大幅に減少させることができる。
【００７９】
このように、隣り合う異方性光拡散シート９Ａ，９Ｂの形状を異ならせて、異方性光拡散シート９Ａ，９Ｂの境界部分における隙間Ｗｔが、採光部３の延在方向に対して交差する方向へ延在する部分を減らすことによって、グレア光ＬＧを効果的に減少させることが可能である。
【００８０】
（異方性光拡散シートの変形例）
次に、異方性光拡散シートの変形例について述べる。
図１６（Ａ）〜（Ｄ）は、異方性光拡散シートの変形例を示す図である。
図１６（Ａ）に示す異方性光拡散シート９Ａ，９Ｂのように、互いの対向側の傾斜辺９ａ，９ａが曲線状に形成されていてもよい。この場合、相互間に形成される隙間Ｗｔは、採光装置の上下方向に対して斜め方向へ曲線を描きながら延在している。
【００８１】
図１６（Ｂ）に示す異方性光拡散シート９Ａ，９Ｂのように、互いの対向側の傾斜辺９ａ，９ａが採光装置の上下方向にジグザグに切り取られたような形状をなしていてもよい。ここでは、一方の傾斜辺９ａがＶ字形状、他方の傾斜辺９ａが山切り形状にカットとされている。そのため、相互間に形成される隙間Ｗｔは、直線が折れ曲がったような屈曲した線状に形成されている。
【００８２】
なお、採光装置の横幅方向に２枚の異方性光拡散シートを有する構成に限らず、３枚以上の異方性光拡散シートを用いてもよい。
【００８３】
図１６（Ｃ）に示すように、３枚の異方性光拡散シート９Ａ，９Ｂ，９Ｃを有していてもよい。この場合も、各異方性光拡散シート９Ａ，９Ｂ，９Ｃの間に採光装置の上下方向に対して斜めに延在する隙間Ｗｔがそれぞれ形成されるようにする。
【００８４】
図１６（Ｄ）に示すように、矩形状を呈する異方性拡散シートを多数配置してもよい。この場合、上下方向で隣り合うシートの端部どうしが一致しないように、上下に並ぶシートを横幅方向へずらして配置する。これにより、採光装置の上下方向に階段形状の隙間Ｗｔが形成される。
【００８５】
なお、図１６（Ａ）〜（Ｄ）に示したいずれの隙間Ｗｔにおいても、Ｙ方向における延在幅Ｗｅは、図１５に示したグレア光の幅ＷＧよりも大きい。
【００８６】
［第２実施形態］
次に、第２実施形態における採光装置の構成について説明する。
以下に示す本実施形態の採光装置の基本構成は、上記第１実施形態と略同様であるが、採光シートと異方性光拡散シートとが同一基板上に設けられている点において異なる。よって、以下の説明では、先の実施形態と異なる部分について詳しく説明し、共通な箇所の説明は省略する。また、説明に用いる各図面において、図１〜図１６と共通の構成要素には同一の符号を付すものとする。
【００８７】
図１７は、第２実施形態における採光装置の概略構成を示す図であって、（Ａ）は正面図、（Ｂ）は断面図である。
図１７（Ａ）、（Ｂ）に示すように、本実施形態における採光装置２０は、透明基材２３、採光シート１２、一対の異方性光拡散シート９Ａ，９Ｂを主として構成されている。透明基材２３としては、例えばガラス基板が用いられる。透明基材２３の第１面２３ａに採光シート１２が設けられ、第２面２３ｂに異方性光拡散シート９Ａ，９Ｂが貼り合わされている。このような採光装置２０は、採光シート１２側を窓ガラスに対向させるようにして設置される。
【００８８】
本実施形態においても、異方性光拡散シート９Ａ，９Ｂの傾斜辺９ａ，９ａ間に形成される隙間Ｗｔが斜めに延在している。よって、先の実施形態と同様に、採光シート１２を介して生じたグレア光が線状のまま室内に射出されず、グレア光と隙間Ｗｔとの交点のみから点となって射出される。これにより、拡散されていない強烈なグレア光を大幅に減少させることができる。
また、ガラス基板が１枚になったことで、構成の簡略化及び軽量化を図ることができる。
【００８９】
［第３実施形態］
次に、第３実施形態における採光装置の構成について述べる。
以下に示す本実施形態の採光装置の基本構成は、上記した第１実施形態と略同様であるが、採光機能及び光拡散機能の双方を兼ね備えた光学シートを備えている点において異なる。よって、以下の説明では、先の実施形態と異なる部分について詳しく説明し、共通な箇所の説明は省略する。また、説明に用いる各図面において、図１〜図１６と共通の構成要素には同一の符号を付すものとする。
【００９０】
図１８（Ａ）は、第３実施形態における採光装置の概略構成を示す断面図であり、図１８（Ｂ）は、第３実施形態における光学シートの光拡散面側の構成を示す正面図である。
第３実施形態の採光装置３０は、図１８（Ａ）に示すように、一面側に採光機能を有するとともに他面側に光拡散機能を有する、両面に光学構造が賦形された光学シート３１を備えている。
【００９１】
光学シート３１は、基材３２の第１面３２ａ側に、上記採光シートと同様の採光機能を有する採光領域３３が設けられており、第２面３２ｂ側に、上記異方性光拡散シートと同様の光拡散機能を有する異方性光拡散領域（光拡散領域）３４が複数設けられている。
【００９２】
採光領域３３には、採光装置３０の横幅方向（Ｙ方向）へ延在する複数の採光部３が設けられている。一方、異方性光拡散領域３４には、図１８（Ｂ）に示すように採光装置３０の上下方向（Ｚ方向）へ延在する複数の凸部９７がスジ状に形成されている。本実施形態の光学シート３１はこのような異方性光拡散領域３４を複数有している。異方性光拡散領域３４どうしの間には、基材３２の第２面３２ｂが露出したフラット面３５が設けられている。フラット面３５は、各凸部９７の延在方向に対して斜めに延在する。
【００９３】
また、上述した光学シート３１の基材３２として、先に述べた採光シート１２を構成する第１基材２を用いてもよく、この第１基材２の第２面２ｂに複数の異方性光拡散領域３４を形成した構成としてもよい。
【００９４】
なお、フラット面３５の少なくとも一部が採光部３の延在方向に対して垂直にならない部分を有していれば、直線状でなく、その他の形状でもよい。
【００９５】
図１９は、光学シート３１となる原反ロールの構成を示す図であって、（Ａ）は、原反ロール自体を示す図、（Ｂ）は、（Ａ）に示す原反ロールの採光面側から見た図、（Ｃ）は、（Ａ）に示す原反ロールの異方性光拡散面側から見た図である。
【００９６】
上述した光学シート３１は、ロール・トゥ・ロール法を用いて、ロール基材３６の両面に加工を施すことによって製造される。
【００９７】
しかしながら、採光領域３３の採光部３の延在方向と、異方性光拡散領域３４における凸部９７の延在方向とが互いに直交するため、両方同時には連続な形成が困難である。そのため本実施形態では、採光領域３３側をロール・トゥ・ロールで連続的に形成し、異方性光拡散領域３４側を金型で形成している。金型を用いる場合には、金型面積の単位で基材３２上にフラット面３５が生じる。つまり、金型よって多数の凸部９７が賦形される領域の継ぎ目（間隙）に、ロール基材３６の短手方向に対して傾斜したフラット面３５が生じる。
【００９８】
このようにして両面に光学構造が賦形された原反ロール３７を、巻取ローラー３８から巻き出して、光学シート形成領域Ｒ３毎に切断することによって光学シート３１が得られる。
なお、ロール基材３６としては、加工しやすい透明樹脂材料等からなる基材を用いる。
【００９９】
本実施形態の採光装置３０によれば、採光装置の大型化に柔軟に対応することができる。つまり、上述したような製造方法であれば、原反ロール３７の切り出し大きさを変えることによって、様々な大きさの採光装置を容易に形成することができる。また、基材の両面に加工を施すことで形成することができるため、光学シートとして各構成要素を一体的に形成することができ、接着部分を有しない単一の構造とすることができる。
【０１００】
［第４実施形態］
次に、第４実施形態における採光装置の構成について述べる。
以下に示す本実施形態の採光装置の基本構成は、上記した第１実施形態と略同様であるが、先の実施形態では、採光シート１２の光射出側に異方性光拡散シート９が配置された構成となっていたが、本実施形態では、採光シート１２の光入射側に異方性光拡散シート９が配置されている点において上記構成とは異なる。よって、以下の説明では、先の実施形態と異なる部分について詳しく説明し、共通な箇所の説明は省略する。また、説明に用いる各図面において、図１〜図１６と共通の構成要素には同一の符号を付すものとする。
【０１０１】
図２０は、第４実施形態における採光装置の概略構成を示す図であって、（Ａ）は正面図、（Ｂ）は断面図である。
図２０（Ａ），（Ｂ）に示すように、本実施形態における採光装置４０は、採光シート１２を有する第１ガラス基板１７と、異方性光拡散シート９Ａ，９Ｂを有する第２ガラス基板１８と、を備えている。第２ガラス基板１８は、採光シート１２の光入射側に位置し、異方性光拡散シート９Ａ，９Ｂが採光シート１２と対向するようにして配置されている。
【０１０２】
図２１は、第４実施形態における採光装置の光学特性を示す図である。
上記構成の採光装置４０によれば、図２０（Ｂ）及び図２１に示すように、第２ガラス基板１８を透過した太陽光は、異方性光拡散シート９Ａ，９Ｂに入射して散乱された状態で射出され、採光シート１２を介して室内へと射出される。一方、太陽光のうち、異方性光拡散シート９Ａ，９Ｂの間の隙間Ｗｔを透過した光は、そのまま採光シート１２へと入射して散乱された状態で室内へ射出される。
【０１０３】
このように、採光装置４０に入射した太陽光のうち、異方性光拡散シート９Ａ，９Ｂの間の隙間Ｗｔを透過する光はほんの僅かである。隙間Ｗｔを透過した光は採光シート１２において反射あるいは屈折されるため、強烈なグレア光がそのまま室内へ射出されることはない。よって、本実施形態の採光装置４０においても、上記各実施形態と同様の効果が得られ、室内へ射出されるグレア光を大幅に減少させることができる。
【０１０４】
［第５実施形態］
（ブラインド）
次に、第５実施形態としての本発明の採光装置の一例であるブラインドについて説明する。
図２２は、第５実施形態におけるブラインドの概略構成を示す斜視図である。図２３は、第５実施形態のブラインドを構成する採光スラットの概略構成を示す断面図である。図２４（Ａ）はブラインド全体での光学特性を示す図であり、図２４（Ｂ）は採光スラットの光学特性を示す図である。なお、以下の説明では、上記採光シート及び異方性光拡散シートと同様の部位については説明を省略するとともに、図面において同じ符号を付すものとする。
【０１０５】
ブラインド（採光装置）５０は、図２２に示すように、所定の間隔を空けて並んで配置された複数のスラット５２と、複数のスラット５２を互いに傾動自在に支持する傾動機構（支持機構）５３と、傾動機構５３によって連結された複数のスラット５２を出し入れ可能に折り畳んで収納する収納機構５８と、を備えている。
【０１０６】
ブラインド５０に設けられている複数のスラット５２は、採光性を有する複数の採光スラット５６により構成される採光部５５と、採光部５５の下方に位置して、遮光性を有する複数の遮光スラット５９により構成される遮光部５７とを有している。なお、以下の説明において、採光スラット５６と遮光スラット５９とを特に区別しない場合は、スラット５２としてまとめて扱うものとする。
【０１０７】
採光スラット５６は、図２３に示すように、光透過性を有する長尺板状のスラット基材５１と、採光シート１２と、異方性光拡散シート９Ａ，９Ｂと、を備え、スラット基材５１の一面側に採光シート１２を有し、他面側に異方性光拡散シート９Ａ，９Ｂを有した構成となっている。
【０１０８】
ここでは、各採光スラット５６として、上述した各実施形態のうちいずれかの採光装置と同じ構造を採用することができる。但し、採光シート１２及び異方性光拡散シート９Ａ，９Ｂの形状、大きさ、厚み等については、上述した各実施形態の採光シート１２及び異方性光拡散シート９Ａ，９Ｂとは異なっており、採光スラット５６に適した寸法とされている。
【０１０９】
採光スラット５６の室内側に面する側には、異方性光拡散シート９Ａ，９Ｂ同士の間に斜めに延在する隙間Ｗｔが存在している。本実施形態では、一つの採光スラット５６に対して２枚の異方性光拡散シート９Ａ，９Ｂを備えた構成となっているが、これに限らない。採光スラット５６の寸法に応じて３枚以上の光拡散シートを備え、斜めの隙間Ｗｔが複数あってもよい。
【０１１０】
採光スラット５６は、長手方向の寸法が凡そ１０００ｍｍ以上で構成されることが多い。そのため、横幅サイズに制限を受けやすい異方性光拡散シート９を備えるスラットを構成する場合には、複数の異方性光拡散シート９をタイリングすることになるため、異方性光拡散シート９Ａ，９Ｂ同士の隙間Ｗｔを斜めにすることでグレア光を効果的に低減させることが可能である。
【０１１１】
以上のような構成を有するブラインド５０は、図２４（Ａ）に示すように、窓ガラス１００３の上部から吊り下げられた状態で、窓ガラス１００３の内面に対向させた状態で使用される。このとき、スラット５２は、窓ガラス１００３に対して複数のスラット５２の並び方向が窓ガラス１００３の縦方向（上下方向）と一致する向きで配置される。また、採光スラット５２は、窓ガラス１００３に対して採光シート１２における各採光部３の延在方向が窓ガラス１００３の横方向（水平方向）と一致するように配置される。
【０１１２】
ブラインド５０の採光部５５では、図２４（Ａ），（Ｂ）に示すように、窓ガラス１００３を透過した太陽光Ｌが採光シート１２における各採光部３で斜め上方へ反射され、スラット基材５１を経て異方性光拡散シート９Ａ，９Ｂへと入射する。これら異方性光拡散シート９Ａ，９Ｂに入射した光は散乱されて室内の天井へ向けて射出される。一方、隙間Ｗｔを透過した光はそのまま室内へと射出されるが、隙間Ｗｔとの交点で点となって射出されるため、強烈なグレア光にはならない。
【０１１３】
また、遮光部５７では図２４（Ａ）に示すように、各遮光スラット５９の一面に対して斜め上方から内部に入射した光Ｌを、各遮光スラット５９により遮光する。遮光部５７は、採光部５５よりも下方に位置するため、窓ガラス１００３を通して室内に入射した光Ｌのうち、主にグレア領域に向かう光や床に向かう光を遮光することが可能である。
【０１１４】
また、ブラインド５０では、複数のスラット５２を傾動させることによって、天井に向かう光Ｌの角度を調整することができる。さらに、複数のスラット５２の間から入射する光を調整することができる。
【０１１５】
以上、本実施形態のブラインド５０によっても、上記各実施形態と同様の効果が得られ、ブラインド５０を介して室内へ射出されるグレア光を大幅に低減させることができる。
【０１１６】
［第６実施形態］
（ブラインド）
次に、第６実施形態における採光装置の一例であるブラインドについて説明する。
以下に示す本実施形態のブラインドの基本構成は、上記した第５実施形態と略同様であるが、隙間が鉛直方向に延在している点において異なる。よって、以下の説明では、先の実施形態と異なる部分について詳しく説明し、共通な箇所の説明は省略する。また、説明に用いる各図面において、図１〜図１６と共通の構成要素には同一の符号を付すものとする。
【０１１７】
図２５は、第６実施形態における採光装置の一例であるブラインドの概略構成を示す図である。図２６は、第６実施形態における採光スラットの概略構成を示す断面図である。図２７は、第６実施形態における２枚の光拡散シートによるタイリング隙間を示す図である。
【０１１８】
本実施形態におけるブラインド（採光装置）６０は、図２５に示すように、上記複数の遮光スラット５９からなる遮光部５７と、複数の採光スラット６２からなる採光部５５と、を有している。採光スラット６２は、図２６に示すように光透過性を有する上記スラット基材５１と、採光シート１２と、平面視矩形状を呈する２枚の異方性光拡散シート９Ｃ，９Ｄと、を備えている。
【０１１９】
図２７に示すように、各異方性光拡散シート９Ｃ，９Ｄが平面視矩形状であることから、これらの間の隙間Ｗｔは、スラットの短手方向に沿って鉛直に延在している。
【０１２０】
採光部５５を構成する殆どの採光スラット６２において、異方性光拡散シート９Ｃと光拡散シート９Ｄとの大きさが互いに異なる。本実施形態では、各段における採光スラット６２において、異方性光拡散シート９Ｃ，９Ｄのタイリングの隙間Ｗｔの位置がブラインド６０の幅方向で一致していない。本実施形態では、採光部５５を構成する採光スラット６２全体で、上方の採光スラット６２における隙間Ｗｔよりも下方の採光スラット６２における隙間Ｗｔの位置がスラットの長手方向一方（Ｙ方向）へずれている。
【０１２１】
上下方向で隣り合う採光スラット６２どうしの隙間Ｗｔがブラインド６０の幅方向で一致している場合は、隙間Ｗｔが鉛直方向へ連続した直線を描くことになるため各隙間Ｗｔからグレア光が縦線となって室内へ射出されてしまう。
【０１２２】
これに対して、本実施形態では、全ての採光スラット６２どうしの隙間Ｗｔの位置が一致しないように、各隙間Ｗｔの位置をブラインド６０の幅方向へ全てずれるように構成されている。これにより、縦線を描くグレア光が各採光スラット６２の隙間Ｗｔにおいて点となって射出されるため、室内に居る人が不快に感じる光ではなくなる。
【０１２３】
［第７実施形態］
（ロールカーテン）
次に、第７実施形態として本発明の採光装置の一例であるロールスクリーンについて述べる。
図２８は、第７実施形態におけるロールスクリーンの概略構成を示す図であって、（Ａ）は全体構造図、（Ｂ）は採光スクリーンの分解斜視図である。図２９は、採光シートの概略構成を示す断面図であって、図２８（Ａ）のＦ−Ｆ’線に沿う断面図である。また、以下の説明では、上記採光装置と同等の部位についての説明を省略するとともに、図面において同じ符号を付すものとする。
【０１２４】
ロールスクリーン（採光装置）７０は、図２８（Ａ），（Ｂ）に示すように、採光スクリーン７１と、採光スクリーン７１を巻き取り自在に支持する巻取機構７６とを備えている。
【０１２５】
採光スクリーン７１は、図２８（Ｂ）及び図２９に示すように、採光シート７２と、採光シート７２の微細構造面７２ａ側（光入射側）に設けられた保護シート７３と、採光シート７２の他面７２ｂ側に設けられた２枚の異方性光拡散シート７４Ａ，７４Ｂと、を備えて構成され、外光を採り入れるものである。
【０１２６】
採光シート７２及び異方性光拡散シート７４Ａ，７４Ｂは、上記実施形態における採光シート及び異方性光拡散シートと同様の構造を採用することができる。但し、採光シート７２及び異方性光拡散シート７４Ａ，７４Ｂの形状、大きさ、厚み等については、上述した各実施形態の採光シート及び異方性光拡散シートとは異なっており、ロールスクリーン７０に適した寸法とされている。
【０１２７】
図２８（Ｂ）に示すように、本実施形態における異方性光拡散シート７４Ａ，７４Ｂ間の隙間Ｗｔは、採光スクリーン７１の上下方向に亘って斜めに延在している。
採光スクリーン７１の幅方向（Ｙ方向）における長さＷ１が１．５ｍ、引張り方向（Ｚ方向）における長さＬＺが０．６ｍであるとき、異方性光拡散シート７４Ａ，７４Ｂの各短辺７４ａの長さが０．６ｍ、異方性光拡散シート７４Ａ，７４Ｂの各長辺７４ｂの長さが０．９ｍである。各異方性光拡散シート７Ａ，７Ｂの斜辺７４ｃ、７４ｃ同士の間の隙間Ｗｔは１ｍｍ程度である。
【０１２８】
図２８（Ａ）に示すように、巻取機構７６は、採光スクリーン７１の上端部に沿って取り付けられた巻芯（支持部材）７５と、採光スクリーン７１の下端部に沿って取り付けられた下パイプ（支持部材）７９と、採光スクリーン７１の下端部中央に取り付けられた引張りコード７７と、巻芯７５に巻き取られた採光スクリーン７１を収納する収納ケース７８とを備えている。
【０１２９】
巻取機構７６は、プルコード式として、採光スクリーン７１を引っ張り出した位置で固定させたり、引っ張り出した位置からさらに引張りコード７７を引っ張ることで、固定を解除して採光スクリーン７１を巻芯７５に自動的に巻き取らせたりすることが可能である。なお、巻取機構７６については、このようなプルコード式に限らず、巻芯７５をチェーンで回転させるチェーン式の巻き取り機構や、巻芯７５をモータにより回転させる自動式の巻き取り機構等であってもよい。
【０１３０】
以上のような構成を有するロールスクリーン７０は、図２８（Ａ）に示すように、窓ガラス１００３の上部に収納ケース７８を固定した状態で、この収納ケース７８に収納された採光スクリーン７１を引張りコード７７で引っ張り出しながら、窓ガラス１００３の内面に対向させた状態で使用される。このとき、採光スクリーン７１は、窓ガラス１００３に対して複数の採光部３の並び方向が窓ガラス１００３の縦方向（鉛直方向）と一致する向きで配置される。つまり、採光スクリーン７１は、窓ガラス１００３に対して複数の採光部３の長手方向が窓ガラス１００３の横方向（水平方向）と一致するように配置される。
【０１３１】
窓ガラス１００３の内面に対向させた採光スクリーン７１は、窓ガラス１００３を通して室内に入射した光を複数の採光部３で光の進行方向を変えて、異方性光拡散シート７４Ｃ，７４Ｄにより水平方向へ拡散させながら、室内の天井に向けて照射する。天井に向かう光は、天井で反射して室内を照らすため、照明光の代わりとなる。
【０１３２】
また、採光スクリーン７１から射出されたグレア光は、異方性光拡散シート７４Ａ，７４Ｂの間の隙間Ｗｔとの交点において点となって室内へ射出される。このため、室内に居る人が不快に感じる光ではなくなる。
【０１３３】
したがって、このようなロールスクリーン７０を用いた場合、グレア光を低減して室内環境を良好にできるとともに、日中に建物内の照明設備が消費するエネルギーを節約する省エネルギー効果が期待できる。
【０１３４】
［第８実施形態］
（複層ガラス）
次に、第８実施形態における採光装置の一例である複層ガラスについて説明する。
図３０は、第８実施形態における複層ガラスの概略構成を示す断面図である。図３１は、第８実施形態に用いられる２枚の異方性光拡散シートのタイリング状態を示す図である。なお、以下の説明では、上記採光シート及び異方性光拡散シートと同様の部位については説明を省略するとともに、図面において同じ符号を付すものとする。
【０１３５】
図３０に示すように、本実施形態に係る複層ガラス（採光装置）８０は、例えば、室内の窓枠に組み込まれた状態で太陽光（外光）を室内に採り入れる採光装置の一つの例である。
【０１３６】
複層ガラス８０は、図３０及び図３１に示すように、互いに対向して配置された第１ガラス基板８１及び第２ガラス基板８２を主として構成される複層ガラス構造（ペアガラス構造）の窓ガラスである。第１ガラス基板８１と第２ガラス基板８２との間に形成される中空の断熱層（空気層）８３内に採光シート８４及び異方性光拡散シート８５Ａ，８５Ｂが配置されている。
【０１３７】
第１ガラス基板８１及び第２ガラス基板８２は互いに光透過性を有するガラス基板からなる。第１ガラス基板８１が屋外側に配置され、第２ガラス基板８２が室内側に配置されている。第１ガラス基板８１及び第２ガラス基板８２は、互いの周縁部がシール部材８６によって接着されている。第１ガラス基板８１と第２ガラス基板８２とのギャップは凡そ１２ｍｍである。
【０１３８】
ガラス基板８１，８２としては、通常の窓に用いられるフロートガラスの他に、表面に特殊な金属膜による赤外線反射層が形成された熱線反射ガラスや低放射（ｌｏｗ−Ｅ）ガラスが用いられる。
【０１３９】
採光シート８４は、中空断熱層８３側となる第１ガラス基板８１の内面８１ａに貼り付けられている。異方性光拡散シート８５Ａ，８５Ｂは、中空断熱層８３側となる第２ガラス基板８２の内面８２ａに貼り付けられている。本実施形態では、採光シート８４の採光部３が形成されている微細構造面８４Ａが異方性光拡散シート８５Ａ，８５Ｂに対向するように構成されている。
【０１４０】
シール部材８６は、１次シール材と２次シール材とを備えたデュアルシール構造である。このようなシール部材５により、温度の上昇や周囲の雰囲気における圧力の低下によって第１ガラス基板８１と第２ガラス基板８２との間に形成される中空断熱層８３が膨張しても、ガラス基板８１，８２同士の接着部分の引張り応力を緩和することができる。そのため、複層ガラス構造の耐熱性能が長期に亘って支持される。
【０１４１】
なお、本実施形態においては、中空断熱層８３が空気からなる空気層としたが、中空断熱層８３は、窒素などの不活性ガスから成る不活性ガス層であってもよく、減圧状態とされた減圧層であってもよい。
【０１４２】
本実施形態の複層ガラス８０においても、一対の異方性光拡散シート８５Ａ，８５Ｂによってグレア光を減少させることができるので、上記各実施形態と同様の効果を得ることができる。
【０１４３】
（変形例）
図３２及び図３３は、第８実施形態における複層ガラスの変形例を示す図である。
図３２に示すように、採光シート８４の光入射側に異方性光拡散シート８５Ａ，８５Ｂを配置してもよい。具体的には、第１ガラス基板８１側に異方性光拡散シート８５Ａ，８５Ｂが設けられ、第２ガラス基板８２側に採光シート８４が設けられた構成としてもよい。
【０１４４】
また、図３３に示すように、採光シート８４及び異方性光拡散シート８５Ａ，８５Ｂを同一のガラス基板上に設けてもよい。具体的には、第２ガラス基板８２の内面８２ａ側に採光シート８４を設け、外面８２ｂ側に異方性光拡散シート８５Ａ，８５Ｂを設けた構成としてもよい。
【０１４５】
［第９実施形態］
次に、第９実施形態における採光装置の構成について述べる。
以下に示す本実施形態の採光装置は、先の述べた各実施形態の採光装置とは、採光シート及び異方性光拡散シートの構成が異なっている。よって、以下の説明では、先の実施形態と異なる部分について詳しく説明し、共通な箇所の説明は省略する。
【０１４６】
図３４は、第９実施形態における採光装置の採光シートの概略構成を示す正面図である。図３５は、第９実施形態における採光装置の主要構成部材を示す図である。
本実施形態における採光装置９０は、図３４及び図３５に示すように、採光シート９１と、２枚の異方性光拡散シート９２Ａ，９２Ｂと、を主として構成されている。
【０１４７】
採光シート９１は、その４辺に対して斜めに延在する複数の採光部（第２採光部）９３を有している。先の実施形態で述べた採光シートでは、各採光部の延在方向が採光装置の上下方向に交差する方向へ延在した構成となっていたが、本実施形態の採光シート９１では、採光装置９０の上下方向に交差する方向（Ｙ方向：採光部（第１採光部）３の延在方向）に対して各採光部９３が所定の角度βで傾いた方向へ延在した構成となっている。つまり、採光部９３の延在方向が、採光シート９１の上辺９１Ａあるいは下辺９１Ｂに対して所定の角度βで傾いている。
【０１４８】
異方性光拡散シート９２Ａ，９２Ｂは平面視矩形状を呈している。互いの対向端部９２ａ，９２ａの間に形成されるタイリングの隙間Ｗｔは、採光装置９０の上下方向（Ｚ方向）に沿って鉛直に延びている。
【０１４９】
先の実施形態においては、異方性光拡散シート同士の対向端部を斜めにカットすることによって、採光シートの各採光部の延在方向に対して傾斜した隙間Ｗｔを形成した構成となっていたが、本実施形態では採光装置９０の上下方向に対して各採光部９３の延在方向を傾斜させた。
【０１５０】
本実施形態における採光装置９０では、採光シート９１に入射した光が各採光部９３によって斜め上方へ角度変更されて射出される際、図中における実線矢印の方向へ高拡散されるとともに、破線矢印の方向へ低拡散される。そのため、採光シート９１のみを室内から見た場合には、採光シート９１の上下方向に対してグレア光が斜めに傾斜した縦線となって現れる。
【０１５１】
そこで本実施形態では、異方性光拡散シート９２Ａ，９２Ｂの隙間Ｗｔが鉛直方向へ延びるように構成した。これにより、採光シート９１から射出されたグレアは、隙間Ｗｔとの交点から点となって射出されることになり、室内に居る人が不快に感じる光ではなくなる。これによって拡散されていない強烈なグレア光が室内へ射出されてしまうのを大幅に減少させることができる。
【０１５２】
なお、上記では採光装置９０の上下方向に対して、採光シート９１の各採光部９３の延在方向だけ斜めになっているが、これに限られず、異方性光拡散シート９２Ａ，９２Ｂの隙間Ｗｔも斜めに延在していてもよい。
【０１５３】
［第１０実施形態］
次に、第１０実施形態における採光装置の構成について述べる。
以下に示す本実施形態の採光装置は、先の述べた各実施形態の採光装置とは、採光シートの構成が異なっている。よって、以下の説明では、先の実施形態と異なる部分について詳しく説明し、共通な箇所の説明は省略する。
【０１５４】
図３６は、第１０実施形態における採光装置の採光シートの概略構成を示す正面図である。図３７は、第１０実施形態における採光装置の主要構成部材を示す図である。
本実施形態における採光装置１００は、図３６及び図３７に示すように、採光シート１０４と、上記実施形態で述べた２枚の異方性光拡散シート９２Ａ，９２Ｂと、を主として構成されている。
【０１５５】
採光シート１０４は、２つの第１採光領域１０１と、これら第１採光領域１０１とは採光特性の異なる第２採光領域１０２と、を有して構成されている。第２採光領域１０２は、一対の第１採光領域１０１の間であって、採光シート１０４の長手方向（Ｙ方向）における略中央に位置する。ここで、採光装置１００の法線方向から見て、第２採光領域１０２が異方性光拡散シート９２Ａ，９２Ｂどうしの間の隙間Ｗｔと重なっている。
【０１５６】
第１採光領域１０１では、複数の採光部３が採光装置１００の上下方向に交差する方向（Ｙ方向）に延在している。一方、第２採光領域１０２では、複数の採光部９３が採光装置１００の上下方向に交差する方向（Ｙ方向）に対して所定の角度βで傾斜して延在している。つまり、採光部９３の延在方向が、採光シート１０４の上辺１０４Ａあるいは下辺１０４Ｂに対して所定の角度βで傾いている。
【０１５７】
図３８は、第１０実施形態における採光装置の光学特性を示す図である。
本実施形態における採光装置１００は、図３８に示すように、第１ガラス基板１７の光入射側の面に採光シート１０４が設けられ、第２ガラス基板１８の光入射側の面に一対の異方性光拡散シート９２Ａ，９２Ｂが設けられている。一対のガラス基板１７，１８の板厚は４ｍｍであり、これらの配置間隔は６ｍｍとなっている。
【０１５８】
このような構成とした場合、例えば、南向きの窓に設置した採光装置１００に対して入射した太陽光のうち所定の方位角ΦＩＮ［°］で入射した光が、採光シート１０４に入射した後に、異方性光拡散シート９２Ａ，９２Ｂの間の隙間Ｗｔを通じて室内へ向けて射出される。
【０１５９】
そのため本実施形態の構成においては、太陽光の入射方位角の角度範囲を考慮して、窓の横方向（Ｙ方向）における採光シート１０４の第２採光領域１０２の幅を決定する。これにより、採光シート１０４から射出されたグレア光のうち隙間Ｗｔを透過する光が、隙間Ｗｔとの交点において点となって室内へと射出されるため、室内に居る人が不快に感じる光ではなくなる。
【０１６０】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。各実施形態の構成を適宜組み合わせてもよい。
【０１６１】
［照明調光システム］
図３９は、採光装置及び照明調光システムを備えた部屋モデル２０００であって、図４０のＪ−Ｊ’線に沿う断面図である。図４０は、部屋モデル２０００の天井を示す平面図である。
【０１６２】
部屋モデル２０００において、外光が導入される部屋２００３の天井２００３ａを構成する天井材は、高い光反射性を有していてもよい。図３９及び図４０に示すように、部屋２００３の天井２００３ａには、光反射性を有する天井材として、光反射性天井材２００３Ａが設置されている。光反射性天井材２００３Ａは、窓２００２に設置された採光装置２０１０からの外光を室内の奥の方に導入することを促進することを目的とするもので、窓際の天井２００３ａに設置されている。具体的には、天井２００３ａの所定の領域Ｅ（窓２００２から約３ｍの領域）に設置されている。
【０１６３】
この光反射性天井材２００３Ａは、先に述べたように、採光装置２０１０（上述したいずれかの実施形態の採光装置）が設置された窓２００２を介して室内に導入された外光を室内の奥の方まで効率よく導く働きをする。採光装置２０１０から室内の天井２００３ａへ向けて導入された外光は、光反射性天井材２００３Ａで反射され、向きを変えて室内の奥に置かれた机２００５の机上面２００５ａを照らすことになり、当該机上面２００５ａを明るくする効果を発揮する。
【０１６４】
光反射性天井材２００３Ａは、拡散反射性であってもよいし、鏡面反射性であってもよいが、室内の奥に置かれた机２００５の机上面２００５ａを明るくする効果と、室内に居る人とって不快なグレア光を抑える効果を両立するために、両者の特性が適度にミックスされたものが好ましい。
【０１６５】
採光装置２０１０によって室内に導入された光の多くは、窓２００２の付近の天井に向かうが、窓２００２の近傍は光量が十分である場合が多い。そのため、上記のような光反射性天井材２００３Ａを併用することによって、窓付近の天井（領域Ｅ）に入射した光を、窓際に比べて光量の少ない室内の奥の方へ振り分けることができる。
【０１６６】
光反射性天井材２００３Ａは、例えば、アルミニウムのような金属板に数十ミクロン程度の凹凸によるエンボス加工を施したり、同様の凹凸を形成した樹脂基板の表面にアルミのような金属薄膜を蒸着したりして作成することができる。あるいは、エンボス加工によって形成される凹凸がもっと大きな周期の曲面で形成されていてもよい。
【０１６７】
さらに、光反射性天井材２００３Ａに形成するエンボス形状を適宜変えることによって、光の配光特性や室内における光の分布を制御することができる。例えば、室内の奥の方に延在するストライプ状にエンボス加工を施した場合は、光反射性天井材２００３Ａで反射した光が、窓２００２の左右方向（凹凸の長手方向に交差する方向）に拡がる。部屋２００３の窓２００２の大きさや向きが限られているような場合は、このような性質を利用して、光反射性天井材２００３Ａによって光を水平方向へ拡散させるとともに、室内の奥の方向へ向けて反射させることができる。
【０１６８】
採光装置２０１０は、部屋２００３の照明調光システムの一部として用いられる。照明調光システムは、例えば、採光装置２０１０と、複数の室内照明装置２００７と、窓に設置された日射調整装置２００８と、これらの制御系と、天井２００３ａに設置された光反射性天井材２００３Ａと、を含む部屋全体の構成部材から構成される。
【０１６９】
部屋２００３の窓２００２には、上部側に採光装置２０１０が設置され、下部側に日射調整装置２００８が設置されている。ここでは、日射調整装置２００８として、ブラインドが設置されているが、これに限らない。
【０１７０】
部屋２００３には、複数の室内照明装置２００７が、窓２００２の左右方向（Ｙ方向）および室内の奥行き方向（Ｘ方向）に格子状に配置されている。これら複数の室内照明装置２００７は、採光装置２０１０と併せて部屋２００３の全体の照明システムを構成している。
【０１７１】
図３９及び図４０に示すように、例えば、窓２００２の左右方向（Ｙ方向）の長さＬ１が１８ｍ、部屋２００３の奥行方向（Ｘ方向）の長さＬ２が９ｍのオフィスの天井２００３ａを示す。ここでは、室内照明装置２００７は、天井２００３ａの横方向（Ｙ方向）及び奥行方向（Ｘ方向）に、それぞれ１．８ｍの間隔Ｐをおいて格子状に配置されている。
より具体的には、５０個の室内照明装置２００７が１０行（Ｙ方向）×５列（Ｘ方向）に配列されている。
【０１７２】
室内照明装置２００７は、室内照明器具（室内照明具）２００７ａと、明るさ検出部２００７ｂと、制御部２００７ｃと、を備え、室内照明器具２００７ａに明るさ検出部２００７ｂ及び制御部２００７ｃが一体化されて構成されたものである。
【０１７３】
室内照明装置２００７は、室内照明器具２００７ａ及び明るさ検出部２００７ｂをそれぞれ複数ずつ備えていてもよい。但し、明るさ検出部２００７ｂは、各室内照明器具２００７ａに対して１個ずつ設けられる。明るさ検出部２００７ｂは、室内照明器具２００７ａが照明する被照射面の反射光を受光して、被照射面の照度を検出する。ここでは、明るさ検出部２００７ｂによって、室内に置かれた机２００５の机上面２００５ａの照度を検出する。
【０１７４】
各室内照明装置２００７に１個ずつ設けられた制御部２００７ｃは、互いに接続されている。各室内照明装置２００７は、互いに接続された制御部２００７ｃにより、各々の明るさ検出部２００７ｂが検出する机上面２００５ａの照度が一定の目標照度Ｌ０（例えば、平均照度：７５０ｌｘ）になるように、それぞれの室内照明器具２００７ａのＬＥＤランプの光出力を調整するフィードバック制御を行っている。
【０１７５】
図４１は、採光装置によって室内に採光された光（自然光）の照度と、室内照明装置による照度（照明調光システム）との関係を示すグラフである。図４１において、縦軸は机上面の照度（ｌｘ）を示し、横軸は窓からの距離（ｍ）を示している。また、図中の破線は、室内の目標照度を示している。（●：採光装置による照度、△：室内照明装置による照度、◇：合計照度）
【０１７６】
図４１に示すように、採光装置２０１０により採光された光に起因する机上面照度は、窓近傍ほど明るく、窓から遠くなるに従ってその効果は小さくなる。採光装置２０１０を適用した部屋では、昼間において窓からの自然採光によりこのような部屋奥方向への照度分布が生じる。そこで、採光装置２０１０は、室内の照度分布を補償する室内照明装置２００７と併用して用いられる。室内天井に設置された室内照明装置２００７は、それぞれの装置の下の平均照度を明るさ検出部２００７ｂによって検出し、部屋全体の机上面照度が一定の目標照度Ｌ０になるように調光制御されて点灯する。
【０１７７】
従って、窓近傍に設置されているＳ１列、Ｓ２列はほとんど点灯せず、Ｓ３列、Ｓ４列、Ｓ５列と部屋奥方向に向かうに従って出力を上げながら点灯される。結果として、部屋の机上面は自然採光による照度と室内照明装置２００７による照明の合計で照らされ、部屋全体に渡って執務をする上で十分とされる机上面照度である７５０ｌｘ（「ＪＩＳ  Ｚ９１１０  照明総則」の執務室における推奨維持照度）を実現することができる。
【０１７８】
以上述べたように、採光装置２０１０と照明調光システム（室内照明装置２００７）とを併用することにより、室内の奥の方まで光を届けることが可能となり、室内の明るさをさらに向上させることができるとともに部屋全体に渡って執務をする上で十分とされる机上面照度を確保することができる。したがって、季節や天気による影響を受けずにより一層安定した明るい光環境が得られる。
【符号の説明】
【０１７９】
１，２０，３０，４０，９０，１００，２０１０…採光装置、２…第１基材、２ａ…第１面、３…採光部（第１採光部）、９３…採光部（第２採光部）、９（９Ａ，９Ｂ）…光拡散シート、Ｌ…光、Ｗｔ…隙間、１２，７２，８４，９１，１０４…採光シート、１７…第１ガラス基板（第１基板）、１８…第２ガラス基板（第２基板）、２３…透明基材、３３…採光面、３４…異方性光拡散領域（光拡散領域）、３５…フラット面、５０，６０…ブラインド（採光装置）、５２…スラット、５３…傾動機構、７０…ロールスクリーン（採光装置）、７１…採光スクリーン、７６…巻取機構、８０…複層ガラス（採光装置）、Ｓ１…空間、２００７ｂ…検出部、１００６…室内、２００７ａ…室内照明器具（室内照明具）、２００７ｃ…制御部
【図１】
2016118608.tif 000003
【図２】
2016118608.tif 000004
【図３】
2016118608.tif 000005
【図４】
2016118608.tif 000006
【図５】
2016118608.tif 000007
【図６】
2016118608.tif 000008
【図７】
2016118608.tif 000009
【図８】
2016118608.tif 000010
【図９】
2016118608.tif 000011
【図１０】
2016118608.tif 000012
【図１１】
2016118608.tif 000013
【図１２】
2016118608.tif 000014
【図１３】
2016118608.tif 000015
【図１４】
2016118608.tif 000016
【図１５】
2016118608.tif 000017
【図１６】
2016118608.tif 000018
【図１７】
2016118608.tif 000019
【図１８】
2016118608.tif 000020
【図１９】
2016118608.tif 000021
【図２０】
2016118608.tif 000022
【図２１】
2016118608.tif 000023
【図２２】
2016118608.tif 000024
【図２３】
2016118608.tif 000025
【図２４】
2016118608.tif 000026
【図２５】
2016118608.tif 000027
【図２６】
2016118608.tif 000028
【図２７】
2016118608.tif 000029
【図２８】
2016118608.tif 000030
【図２９】
2016118608.tif 000031
【図３０】
2016118608.tif 000032
【図３１】
2016118608.tif 000033
【図３２】
2016118608.tif 000034
【図３３】
2016118608.tif 000035
【図３４】
2016118608.tif 000036
【図３５】
2016118608.tif 000037
【図３６】
2016118608.tif 000038
【図３７】
2016118608.tif 000039
【図３８】
2016118608.tif 000040
【図３９】
2016118608.tif 000041
【図４０】
2016118608.tif 000042
【図４１】
2016118608.tif 000043